(57)【要約】【課題】アンテナ設置に不備がある状態を好適に検出し、ユーザにアンテナの設置状態の確認を促すとともに、ユーザの不安を軽減させるデジタル放送受信装置を提供することである。【解決手段】デジタル放送受信装置１００において、計測手段（ＣＰＵ１０、計測プログラム１２ｂ）によって、受信されたデジタル放送信号のうち所定の放送チャンネルのデジタル放送信号を選局するチューナ２から出力された信号強度を計測し、降雨センサ７によって、降雨量を測定し、計測手段により計測された信号強度が所定の強度値以下であり、且つ、降雨センサ７により測定された降雨量が所定の降雨量以下である場合、報知手段（ＣＰＵ１０、映像／音声出力装置２００、表示制御プログラム１２ｃ、送信制御プログラム１２ｄ）によって、所定の報知を行う。【選択図】図１
2008199447.tif 000002
【特許請求の範囲】
【請求項１】
デジタル放送信号を受信するデジタル放送受信装置において、
受信されたデジタル放送信号のうち所定の放送チャンネルのデジタル放送信号を選局するチューナから出力された信号強度を計測する計測手段と、
降雨量を測定する降雨センサと、
アンテナ設置の不備の虞がある旨の所定の報知メッセージ情報を記憶する記憶手段と、
前記計測手段により計測された信号強度が所定の強度値以下であり、且つ、前記降雨センサにより測定された降雨量が所定の降雨量以下である場合、アンテナ設置の不備の虞がある旨を報知する報知手段と、
を備え、
前記報知手段は、前記記憶手段に記憶された前記所定の報知メッセージ情報を表示手段に表示させる表示制御手段、及び、前記記憶手段に記憶された前記所定の報知メッセージ情報を電子メールにより、予め設定されたアドレスに送信する送信制御手段を備えることを特徴とするデジタル放送受信装置。
【請求項２】
デジタル放送信号を受信するデジタル放送受信装置において、
受信されたデジタル放送信号のうち所定の放送チャンネルのデジタル放送信号を選局するチューナから出力された信号強度を計測する計測手段と、
降雨量を測定する降雨センサと、
前記計測手段により計測された信号強度が所定の強度値以下であり、且つ、前記降雨センサにより測定された降雨量が所定の降雨量以下である場合、所定の報知を行う報知手段と、
を備えることを特徴とするデジタル放送受信装置。
【請求項３】
アンテナ設置の不備の虞がある旨の所定の報知メッセージ情報を記憶する記憶手段を備え、
前記報知手段は、前記記憶手段に記憶された前記所定の報知メッセージ情報を表示手段に表示させる表示制御手段を備えることを特徴とする請求項２に記載のデジタル放送受信装置。
【請求項４】
アンテナ設置の不備の虞がある旨の所定の報知メッセージ情報を記憶する記憶手段を備え、
前記報知手段は、前記記憶手段に記憶された前記所定の報知メッセージ情報を電子メールにより予め指定されたアドレスに送信する送信制御手段を備えることを特徴とする請求項２に記載のデジタル放送受信装置。
【発明の詳細な説明】
【技術分野】
【０００１】
本発明は、デジタル放送信号の受信を行うデジタル放送受信装置に関する。
【背景技術】
【０００２】
近年、テレビジョン放送の分野において、これまで主として用いられてきた地上波のアナログ放送技術に代わって、地上波デジタル放送の他、通信衛星（ＣＳ；Communications Satellite）や放送衛星（ＢＳ；Broadcast Satellite）を介してデジタル信号を伝送するデジタル放送技術、ＣＡＴＶ（ケーブルテレビジョン）システムが急速に普及しつつある。
【０００３】
具体的には、例えば、BSアンテナの受信状態の悪化を検知し、ＥＰＧデータにより同番組を放送している地上波チャンネルを検索してそのチャンネルに切り換える機能を搭載したＢＳデジタル内蔵テレビが知られている（特許文献１参照）。
【０００４】
また、受信アンテナで受信した衛星または地上波の放送コンテンツ等が降雨などの電波環境事情によって充分な受信感度が得られない場合にその旨をデータにして放送すること、または、ケーブルテレビ局のチューナ、ＱＡＭ変調器、ＲＦコンバータなどの放送系機材に故障が発生して放送波を送出できない場合にその旨をデータにして放送するケーブルテレビ多重化装置が知られている（特許文献２参照）。
【０００５】
また、ＢＳアンテナで受信した放送電波の変調方式に関する情報を抽出することによって変調方式の変化を検知した場合には、ディスプレイ上に、変調方式の変化を案内するメッセージを表示するデジタル放送受信装置が知られている（特許文献３参照）。
【特許文献１】特開２００６−２５４０２４号公報
【特許文献２】特開２００５−２８６５９３号公報
【特許文献３】特開２００２−１６８５１号公報
【発明の開示】
【発明が解決しようとする課題】
【０００６】
しかしながら、上記特許文献１〜３に開示された装置では、映像が正しく映らない場合に、アンテナ設置に不備があるのか、或いは雨や雪による影響があるのかについて、正しい情報をユーザに対して提供することができず、例えば、実際に雨や雪が降っていない場合に、アンテナの設置に関して馴染みの無いユーザは、アンテナ設置の不備を疑うことなく、デジタル放送受信機本体の故障であると誤認してしまう場合がある。
【０００７】
本発明の課題は、アンテナ設置に不備がある状態を好適に検出し、ユーザにアンテナの設置状態の確認を促すとともに、ユーザの不安を軽減させるデジタル放送受信装置を提供することである。
【課題を解決するための手段】
【０００８】
上記課題を解決するため、請求項１に記載の発明は、デジタル放送信号を受信するデジタル放送受信装置において、
受信されたデジタル放送信号のうち所定の放送チャンネルのデジタル放送信号を選局するチューナから出力された信号強度を計測する計測手段と、
降雨量を測定する降雨センサと、
アンテナ設置の不備の虞がある旨の所定の報知メッセージ情報を記憶する記憶手段と、
前記計測手段により計測された信号強度が所定の強度値以下であり、且つ、前記降雨センサにより測定された降雨量が所定の降雨量以下である場合、アンテナ設置の不備の虞がある旨を報知する報知手段と、
を備え、
前記報知手段は、前記記憶手段に記憶された前記所定の報知メッセージ情報を表示手段に表示させる表示制御手段、及び、前記記憶手段に記憶された前記所定の報知メッセージ情報を電子メールにより、予め設定されたアドレスに送信する送信制御手段を備えることを特徴とする。
【０００９】
請求項２に記載の発明は、デジタル放送信号を受信するデジタル放送受信装置において、
受信されたデジタル放送信号のうち所定の放送チャンネルのデジタル放送信号を選局するチューナから出力された信号強度を計測する計測手段と、
降雨量を測定する降雨センサと、   
前記計測手段により計測された信号強度が所定の強度値以下であり、且つ、前記降雨センサにより測定された降雨量が所定の降雨量以下である場合、所定の報知を行う報知手段と、
を備えることを特徴とする。
【００１０】
請求項３に記載の発明は、請求項２に記載のデジタル放送受信装置において、
アンテナ設置の不備の虞がある旨の所定の報知メッセージ情報を記憶する記憶手段を備え、
前記報知手段は、前記記憶手段に記憶された前記所定の報知メッセージ情報を表示手段に表示させる表示制御手段を備えることを特徴とする。
【００１１】
請求項４に記載の発明は、請求項２に記載のデジタル放送受信装置において、
アンテナ設置の不備の虞がある旨の所定の報知メッセージ情報を記憶する記憶手段を備え、
前記報知手段は、前記記憶手段に記憶された前記所定の報知メッセージ情報を電子メールにより予め指定されたアドレスに送信する送信制御手段を備えることを特徴とする。
【発明の効果】
【００１２】
請求項１に記載の発明によれば、計測手段によって、受信されたデジタル放送信号のうち所定の放送チャンネルのデジタル放送信号を選局するチューナから出力された信号強度を計測することができ、降雨センサによって、降雨量を測定することができ、記憶手段によって、アンテナ設置の不備の虞がある旨の所定の報知メッセージ情報を記憶することができ、計測手段により計測された信号強度が所定の強度値以下であり、且つ、降雨センサにより測定された降雨量が所定の降雨量以下である場合、表示制御手段によって、記憶手段に記憶された所定の報知メッセージ情報を表示手段に表示させ、また、送信制御手段によって、記憶手段に記憶された所定の報知メッセージ情報を電子メールにより、予め設定されたアドレスに送信することができる。
従って、アンテナ設置に不備がある状態を好適に検出し、ユーザにアンテナの設置状態の確認を促すとともに、ユーザの不安を軽減させることができる。
また、所定の報知メッセージ情報を、表示手段に表示させることができるとともに、電子メールにより予め指定されたアドレスに送信することができることとなり、より好適に、ユーザにアンテナの設置状態の確認を促すことができるとともに、ユーザの不安を軽減させることができる。
【００１３】
請求項２に記載の発明によれば、計測手段によって、受信されたデジタル放送信号のうち所定の放送チャンネルのデジタル放送信号を選局するチューナから出力された信号強度を計測することができ、降雨センサによって、降雨量を測定することができ、計測手段により計測された信号強度が所定の強度値以下であり、且つ、降雨センサにより測定された降雨量が所定の降雨量以下である場合、報知手段によって、所定の報知を行うことができる。
従って、アンテナ設置に不備がある状態を好適に検出し、ユーザにアンテナの設置状態の確認を促すとともに、ユーザの不安を軽減させることができる。
【００１４】
請求項３に記載の発明によれば、請求項２に記載の発明と同様の効果が得られることは無論のこと、記憶手段によって、アンテナ設置の不備の虞がある旨の所定の報知メッセージ情報を記憶することができ、報知手段は、表示制御手段を備えることによって、記憶手段に記憶された所定の報知メッセージ情報を表示手段に表示させることがきる。
従って、アンテナ設置に不備がある状態を好適に検出し、所定の報知メッセージ情報を表示手段に表示させることができることとなり、より好適に、ユーザにアンテナの設置状態の確認を促すことができるとともに、ユーザの不安を軽減させることができる。
【００１５】
請求項４に記載の発明によれば、請求項２に記載の発明と同様の効果が得られることは無論のこと、記憶手段によって、アンテナ設置の不備の虞がある旨の所定の報知メッセージ情報を記憶することができ、報知手段は、送信制御手段を備えることによって、記憶手段に記憶された所定の報知メッセージ情報を電子メールにより予め指定されたアドレスに送信することができる。
従って、アンテナ設置に不備がある状態を好適に検出し、所定の報知メッセージ情報を電子メールにより予め指定されたアドレスに送信することができることとなり、より好適に、ユーザにアンテナの設置状態の確認を促すことができるとともに、ユーザの不安を軽減させることができる。
【発明を実施するための最良の形態】
【００１６】
以下、図を参照して、本発明に係るデジタル放送受信装置を実施するための最良の形態を詳細に説明する。
【００１７】
まず、本発明に係るデジタル放送受信装置１００の構成について説明する。本発明に係るデジタル放送受信装置１００は、図１に示すように、アンテナ１、チューナ２、復調部３、分離部４、デコーダ５、ＯＳＤ処理部６、降雨センサ７、通信部８、制御部９等を備えて構成される。
また、デジタル放送受信装置１００は、液晶パネル等の映像出力部２０１やスピーカ等の音声出力部２０２を備えた映像／音声出力装置２００と接続されている。
【００１８】
アンテナ１は、例えば、パラボラアンテナやＵＨＦアンテナ等であり、デジタル放送信号を受信し、ＲＦ（Radio  Frequency）信号をチューナ２に出力する。なお、デジタル放送信号に含まれる物理チャンネルの放送データは、ＭＰＥＧ２−ＴＳ方式により多重化されている。
【００１９】
チューナ２は、例えば、ミキサ（図示省略），選局回路（図示省略）等を備えて構成される。そして、チューナ２において、ミキサ，選局回路等により、アンテナ１から入力されたＲＦ信号からユーザが所望する物理チャンネルのＩＦ（Intermediate  Frequency）信号が生成される。
【００２０】
復調部３は、逆インタリーブ回路（図示省略），誤り訂正回路（図示省略），復調回路（図示省略）等を備えて構成される。そして、復調部３において、逆インタリーブ回路，誤り訂正回路，復調回路等により、生成されたＩＦ信号に誤り訂正処理や復調処理等が施され、放送データとしてのＴＳ（Transport  Stream）信号に変換される。復調部３により生成されたＴＳ信号は、分離部４に出力される。
【００２１】
分離部４は、例えば、復調部３，デコーダ５等と接続され、復調部３から入力されるＴＳ信号を映像データ，音声データ，ＰＳＩ／ＳＩ（Program Specific Information/Service Information）に分離し、デコーダ５に出力する。
【００２２】
デコーダ５は、分離部４から入力される映像データや音声データに復号処理を行って、映像／音声出力装置２００に出力する。
【００２３】
ＯＳＤ処理部６は、制御部９から入力される制御信号に従って、ＯＳＤ（On Screen Display ）信号をデコーダ５から映像／音声出力装置２００へ出力される映像データに合成する。
【００２４】
降雨センサ７は、例えば、転倒マス型雨量センサが用いられ、当該センサの内部の受水マスが転倒するように設計されており、当該マスの転倒回数により降雨量を計測する。なお、降雨センサ７は、上述した転倒マス型雨量センサに限らず、圧電体に雨滴が当たった際の衝撃によって発生する電圧パルスを測定することにより、雨量を測定する圧電体式の降雨センサ等、雨量を測定することができるセンサであれば何でも良い。
【００２５】
通信部８は、ネットワークＮを介して管理装置３００等とインターネット接続され、電子メールの送受信、及び各種制御信号の受信を行う。
【００２６】
制御部９は、図１に示すように、ＣＰＵ（Central  Processing  Unit）１０、ＲＡＭ（Random  Access  Memory）１１，記憶部１２等を備えて構成され、チューナ２、復調部３、分離部４、デコーダ５、ＯＳＤ処理部６、降雨センサ７、通信部８等と接続され、デジタル放送受信装置１００の各部の制御を行う。
【００２７】
ＣＰＵ１０は、記憶部１２に格納された処理プログラム等を読み出して、ＲＡＭ１１に展開して実行することにより、デジタル放送受信装置１００全体の制御を行う。
【００２８】
ＲＡＭ１１は、ＣＰＵ１０により実行された処理プログラム等を、ＲＡＭ１１内のプログラム格納領域に展開するとともに、入力データや上記処理プログラムが実行される際に生じる処理結果等をデータ格納領域に格納する。
【００２９】
記憶部１２は、例えば、プログラムやデータ等が予め記憶されている記録媒体（図示省略）を有しており、この記録媒体は、例えば、半導体メモリ等で構成されている。また、記憶部１２は、ＣＰＵ１０がデジタル放送受信装置１００全体を制御する機能を実現させるための各種データ、各種処理プログラム、これらプログラムの実行により処理されたデータ等を記憶する。より具体的には、記憶部１２は、例えば、図１に示すように、報知メッセージデータテーブル１２ａ、計測プログラム１２ｂ、表示制御プログラム１２ｃ、送信制御プログラム１２ｄ等を格納している。
【００３０】
報知メッセージデータテーブル１２ａは、アンテナ設置の不備の虞がある旨の所定の報知メッセージ情報を記憶する。
具体的には、所定の報知メッセージ情報とは、例えば、「アンテナ設置に不備の虞があります。アンテナ設置状態を確認して下さい。」等をいい、アンテナ設置の状態を、ユーザが確認するように促すためのかかる所定の報知メッセージ情報を記憶する。
報知メッセージデータテーブル１２ａは、これにより、記憶手段として機能する。
【００３１】
計測プログラム１２ｂは、ＣＰＵ１０に、チューナ２から出力された信号強度を計測する機能を実現させるプログラムである。
具体的には、例えば、デコーダ５で復号化処理を行う際に、デコードエラーが検出された場合、ＣＰＵ１０は、計測プログラム１２ｂを実行し、チューナ２で選局された出力信号の信号強度として、受信電力とノイズの電力の比であるＣ／Ｎ値を計測する。
ＣＰＵ１０は、かかる計測プログラム１２ｂを実行することにより、計測手段として機能する。
【００３２】
表示制御プログラム１２ｃは、ＣＰＵ１０に、ＯＳＤ処理部６を制御して所定の報知メッセージを映像／音声出力装置２００に表示させる機能を実現させるプログラムである。
具体的には、ＣＰＵ１０は、計測プログラム１２ｂの実行により計測された信号強度の値が所定の強度値以下であり、且つ、降雨センサ７により測定された降雨量が所定の降雨量以下である場合、表示制御プログラム１２ｃを実行することにより、所定の報知メッセージを映像／音声出力装置２００に表示させる。なお、このとき、映像／音声出力装置２００に表示される所定の報知メッセージには、例えば、図３に示すように「アンテナ設置に不備の虞があります。アンテナ設置状態を確認して下さい。」等が用いられ、映像／音声出力装置２００に表示される。
ＣＰＵ１０は、かかる表示制御プログラム１２ｃを実行することにより、表示制御手段として機能する。
【００３３】
送信制御プログラム１２ｄは、ＣＰＵ１０に、報知メッセージデータテーブル１２ａに記憶された所定の報知メッセージ情報を電子メールにより、予め設定されたアドレスに送信する機能を実現させるプログラムである。
具体的には、ＣＰＵ１０は、計測プログラム１２ｂの実行により計測された信号強度の値が所定の強度値以下であり、且つ、降雨センサ７により測定された降雨量が所定の降雨量以下である場合、ＣＰＵ１０は、送信制御プログラム１２ｄを実行することにより、報知メッセージデータテーブル１２ａに記憶された所定の報知メッセージ情報を電子メールにより、予め設定されたアドレスに送信する。より具体的には、例えば、サービスセンターのアドレスに、報知メッセージデータテーブル１２ａに記憶された所定の報知メッセージ情報を電子メールにより、送信したり、また、デジタル受信装置１００自体が備えるアドレスに自己発行メールとして、当該所定の報知メッセージ情報を電子メールにより、送信する。
ＣＰＵ１０は、かかる送信制御プログラム１２ｄを実行することにより、送信制御手段として機能する。
【００３４】
次に、本発明に係るデジタル放送受信装置１００のメッセージ報知処理について、図２に示すフローチャートを参照しながら説明する。
【００３５】
まず、ステップＳ１において、ユーザは、所望の放送チャンネルの放送信号を選局する（ステップＳ１）。
【００３６】
次いで、ステップＳ２において、デコーダ５で復号化処理を行う際に、デコードエラーが検出された場合、ＣＰＵ１０は、計測プログラム１２ｂを実行することにより、チューナ２で選局された出力信号の信号強度を計測する（ステップＳ２）。
【００３７】
ステップＳ２において、ＣＰＵ１０が、計測プログラム１２ｂを実行することによって、計測された信号強度の計測値が、所定の強度値を超えている場合（ステップＳ２；Ｙｅｓ）、本処理を終了する。一方、ステップＳ２において、ＣＰＵ１０が、計測プログラム１２ｂを実行することにより、計測された信号強度の計測値が、所定の強度値以下である場合（ステップＳ２；Ｎｏ）、ステップＳ３に進む。
【００３８】
次いで、ステップＳ３において、ＣＰＵ１０は、降雨センサ７により、降雨量を測定する（ステップＳ３）。
【００３９】
ステップＳ３において、ＣＰＵ１０が、降雨センサ７により測定された降雨量が、所定の降雨量を超えている場合（ステップＳ３；Ｙｅｓ）、本処理を終了する。一方、ステップＳ３において、ＣＰＵ１０が、降雨センサ７により測定された降雨量が、所定の降雨量以下である場合（ステップＳ３；Ｎｏ）、ステップＳ４に進む。
【００４０】
次いで、ステップＳ４において、ＣＰＵ１０は、表示制御プログラム１２ｃを実行することにより、所定の報知メッセージを映像／音声出力装置２００に表示させる。ＣＰＵ１０は、送信制御プログラム１２ｄを実行することにより、報知メッセージデータテーブル１２ａに記憶された所定の報知メッセージ情報を電子メールにより、予め設定されたアドレスに送信し、本処理を終了する。
【００４１】
以上に説明した本発明に係るデジタル放送受信装置１００によれば、ＣＰＵ１０が、計測プログラム１２ｂを実行することによって、受信されたデジタル放送信号のうち所定の放送チャンネルのデジタル放送信号を選局するチューナ２から出力された信号強度を計測することができ、降雨センサ７によって、降雨量を測定することができ、報知メッセージデータテーブル１２ａによって、アンテナ設置の不備の虞がある旨の所定の報知メッセージ情報を記憶することができ、計測プログラム１２ｂの実行により計測された信号強度が所定の強度値以下であり、且つ、降雨センサ７により測定された降雨量が所定の降雨量以下である場合、表示制御プログラム１２ｃを実行することによって、報知メッセージデータテーブル１２ａに記憶された所定の報知メッセージ情報を映像／音声出力装置２００に表示させ、また、送信制御プログラム１２ｄを実行することによって、報知メッセージデータテーブル１２ａに記憶された所定の報知メッセージ情報を電子メールにより、予め設定されたアドレスに送信することができる。
従って、アンテナ設置に不備がある状態を好適に検出し、ユーザにアンテナの設置状態の確認を促すとともに、ユーザの不安を軽減させることができる。
また、所定の報知メッセージ情報を、表示手段に表示させることができるとともに、電子メールにより予め指定されたアドレスに送信することができることとなり、より好適に、ユーザにアンテナの設置状態の確認を促すことができるとともに、ユーザの不安を軽減させることができる。
【００４２】
なお、本発明は、上記実施の形態に限定されることなく、本発明の趣旨を逸脱しない範囲において、種々の改良並びに設計の変更を行っても良い。
例えば、ＣＰＵ１０が、計測プログラム１２ｂを実行することによって、計測された信号強度の計測値が、所定の強度値を超えている場合、異常が無い旨のメッセージを、映像／音声出力装置２００に表示させ、及び／又は、当該メッセージを電子メールにより、予め設定されたアドレスに送信する設計であっても良い。また、降雨センサ７により測定された降雨量が、所定の降雨量を超えている場合、降雨により受信感度が下がっている旨のメッセージを映像／音声出力装置２００に表示させ、又は／及び、当該メッセージを電子メールにより、予め設定されたアドレスに送信する設計であっても良い。
また、一定時間のあいだ、降雨センサ７により測定された降雨量と、ＣＰＵ１０が、計測プログラム１２ｂを実行することによって計測された信号強度の計測値との関係を観測し、例えば、降雨量が増加するに従い、信号強度の計測値が低下するような場合は、雨の影響である旨を報知する手段を備える設計であっても良い。
また、本発明に係るデジタル放送受信装置単体に限られることなく、デジタル放送受信機能がテレビに組み込まれた受信機内蔵テレビや受信機内蔵ＤＶＤプレーヤ等、デジタル放送信号を受信することができる端末機器であっても良い。
また、デジタル放送受信装置１００に、映像出力部２０１と、音声出力部２０２が一体的に設けられてもよい。
【図面の簡単な説明】
【００４３】
【図１】本発明に係るデジタル放送受信装置の要部構成を示すブロック図である。
【図２】本発明に係るデジタル放送受信装置のメッセージ報知処理を示すフローチャートである。
【図３】本発明に係るデジタル放送受信装置の所定の報知メッセージ表示例を示す図である。
【符号の説明】
【００４４】
１００    デジタル放送受信装置
１        アンテナ
２        チューナ
５        デコーダ
６        ＯＳＤ処理部（報知手段、表示制御手段）
７        降雨センサ
１０      ＣＰＵ（計測手段、表示制御手段、送信制御手段）
１２      記憶部
１２ａ    報知メッセージデータテーブル（記憶手段）
１２ｂ    計測プログラム（計測手段）
１２ｃ    表示制御プログラム（表示制御手段）
１２ｄ    送信制御プログラム（報知手段、送信制御手段）
２００    映像／音声出力装置（表示手段、報知手段）
【図１】
2008199447.tif 000003
【図２】
2008199447.tif 000004
【図３】
2008199447.tif 000005